(57)【要約】【課題】  嵩張らず携帯に便利で、必要なときにすぐに取り出すことができ、しかも固く締まったキャップや表面が濡れたキャップであっても、その大きさや形状に関わりなく容易に開けることができるスクリューキャップオープナーを提供する。【解決手段】  スクリューキャップオープナーは、弾性材からなるボード状又はループ化したベルト状のキャップオープナー部材と、該キャップオープナー部材を日常携帯物品と連結するための連結部材とで構成されている。前記弾性材としては発泡軟質素材が好ましく、前記発泡軟質素材は、例えば、樹脂成分として少なくともエチレン−酢酸ビニル共重合体を含む発泡樹脂であってもよい。キャップオープナー部材の表面に文字及び／又は装飾的デザインが施されていてもよい。前記スクリューキャップオープナーは携帯電話と連結して用いることもできる。【選択図】        図１
2007106422.tif 000002
【特許請求の範囲】
【請求項１】
弾性材からなるボード状又はループ化したベルト状のキャップオープナー部材と、該キャップオープナー部材を日常携帯物品と連結するための連結部材とで構成されているスクリューキャップオープナー。
【請求項２】
弾性材が発泡軟質素材である請求項１記載のスクリューキャップオープナー。
【請求項３】
発泡軟質素材が、樹脂成分として少なくともエチレン−酢酸ビニル共重合体を含む発泡樹脂である請求項２記載のスクリューキャップオープナー。
【請求項４】
キャップオープナー部材の表面に文字及び／又は装飾的デザインが施されている請求項１〜３の何れかの項に記載のスクリューキャップオープナー。
【請求項５】
携帯電話と連結して用いられる請求項１〜４の何れかの項に記載のスクリューキャップオープナー。
【発明の詳細な説明】
【技術分野】
【０００１】
本発明は、ペットボトル、ボトル缶、ドリンク剤入りビンなどの蓋（スクリューキャップ）を容易に開けることができるスクリューキャップオープナーに関する。
【背景技術】
【０００２】
近年、ペットボトル、金属製のボトル缶（アルミ缶等）、ドリンク剤入りビンなどの容器の蓋には、素手で開けられるように、スクリューキャップが用いられることが多くなっている。しかし、ペットボトルやボトル缶が自動販売機や冷蔵庫などで冷却されていると、キャップの表面に水滴が付いて、素手でキャップを開けようとしても滑って力が入りにくく、特に握力の弱い者には容易にはキャップを開けられないことがある。また、時折キャップが必要以上に固く締まっていることもある。このような場合にキャップを開ける道具として、キャップに係合する孔やキャップに適合する凹部を設けたキャップオープナーが知られている（特許文献１〜４）。しかし、これらのキャップオープナーは適用できるキャップの大きさが定まっており、大きさの異なるキャップには使用できない。また、携帯に必ずしも適しているとは言えない。
【０００３】
実用新案登録第３０５０１８５号には、片面又は両面に全面的にパイルを形成している基布の各面に、一様の分布で軟質合成樹脂をゾル若しくは溶融状態で付着させ固化してなる多数の互いに独立した粒状小突起を形成したことを特徴とするキャップオープナーが開示されている。しかし、このキャップオープナーは構造が複雑であり、また持ち運びに適しているとは言えない。実用新案登録第３０９３８１６号には、一方の先端を斜めにしたパイプに、その斜めにしたパイプの先端部分の内側にベルトの一端をビスで固定し、同ベルトの他方をパイプの先端部分より入れ、ベルトを環状にしたキャップオープナーが開示されている。しかし、このキャップオープナーは、小さいキャップを開けるのには使いにくく、また長さのあるパイプを有しているため携帯に便利とは言えない。
【０００４】
【特許文献１】特開２００１−５８６９６号公報
【特許文献２】特開２００１−１７１７０２号公報
【特許文献３】特開２００２−８７４９６号公報
【特許文献４】特開２００４−２０３４７８号公報
【特許文献５】実用新案登録第３０５０１８５号
【特許文献６】実用新案登録第３０９３８１６号
【発明の開示】
【発明が解決しようとする課題】
【０００５】
本発明の目的は、嵩張らず携帯に便利で、必要なときにすぐに取り出すことができ、しかも表面が濡れているキャップや固く締まったキャップを、その大きさや形状に関わりなく容易に開けることができるスクリューキャップオープナーを提供することにある。
本発明の他の目的は、さらに極めて軽量で使いやすい特性を有するスクリューキャップオープナーを提供することにある。
本発明のさらに他の目的は、さらに景品や企業の宣伝用物品としても有用なスクリューキャップオープナーを提供することにある。
【課題を解決するための手段】
【０００６】
本発明者らは、上記目的を達成するため鋭意検討を重ねた結果、特定の材質及び特定の形状からなるキャップオープナー部材と、該キャップオープナー部材を日常携帯物品と連結するための連結部材とで構成すると、嵩張らず携帯に便利で、必要なときにすぐに取り出して使用できるだけでなく、表面が濡れていたり固く締まったスクリューキャップを、その大きさや形状に関わりなく容易に開けることができることを見出し、本発明を完成した。
【０００７】
すなわち、本発明は、弾性材からなるボード状又はループ化したベルト状のキャップオープナー部材と、該キャップオープナー部材を日常携帯物品と連結するための連結部材とで構成されているスクリューキャップオープナーを提供する。
【０００８】
前記弾性材としては発泡軟質素材が好ましく、前記発泡軟質素材は、例えば、樹脂成分として少なくともエチレン−酢酸ビニル共重合体を含む発泡樹脂であってもよい。キャップオープナー部材の表面に文字及び／又は装飾的デザインが施されていてもよい。前記スクリューキャップオープナーは携帯電話と連結して用いることもできる。
【発明の効果】
【０００９】
本発明によれば、キャップオープナー部材が弾性材からなり、しかも形状がボード状又はループ化したベルト状であるため、キャップ表面に対する密着性が非常に高く、コンパクトであり、大きさや形状に関わりなく種々のキャップに極めて適切にフィットする。そのため、取扱性に優れる上、キャップオープナー部材を介して手でキャップを回す際、キャップが濡れていたり必要以上に固く締まっていても滑らず、握力の弱い者でも容易にキャップを開けることができる。また、汎用性が高く、種々の容器のキャップを開けるのに用いることができる。さらに、日常携帯物品と連結するための連結部材を有しており、前記キャップオープナー部材を連結部材を介して携帯電話等の日常携帯物品に連結できるため、嵩張らず携帯に便利で、必要なときにすぐに取り出して使用することができる。
上記弾性材が発泡軟質素材である場合には、極めて軽量となるだけでなく、キャップ表面に対する密着性も向上するため、より一層有用となる。
キャップオープナー部材の表面に文字及び／又は装飾的デザインが施されたキャップオープナーは、広告的機能を付与できるため、景品、ノベルティグッズ、販売促進用物品、記念品等として利用でき、企業や商品の宣伝等にも役立つ。
【発明を実施するための最良の形態】
【００１０】
以下、本発明の実施の形態を、必要に応じて図面を参照しつつ説明する。図１は本発明のキャップオープナーの一例を示す斜視図であり、図２は図１のキャップオープナーにおけるキャップオープナー部材の展開図である。このキャップオープナーＩは、弾性材からなるループ化したベルト状のキャップオープナー部材１と、該キャップオープナー部材１を日常携帯物品と連結するための連結部材であるリング状金具５及び紐部材６とで構成されている。キャップオープナー部材１の表面には文字及び／又は装飾的デザイン２が施されている。
【００１１】
ベルト状のキャップオープナー部材１のループ化前の状態（図２参照）において、一方の端部の先端近傍に１つ、それよりやや中央部よりに１つ、他方の端部の先端近傍に１つ、合計３つの孔３が設けられている。このループ化前のベルト状のキャップオープナー部材１を、前記一方の端部が他方の端部の背面側（外側）に来るように、且つ前記一方の端部の先端近傍の孔３ａと他方の端部の先端近傍の孔３ｃとが重なり合うように重ね合わせてループ化し、さらに前記一方の端部において２つの孔３ａと３ｂの中間部が端にくるように折って、前記一方の端部の先端近傍の孔３ａよりやや中央部よりに形成した孔３ｂが上記重ね合わせた２つの孔３ａ及び３ｃと重なり合うようにし、プラスチック製又は金属製等の適宜な材質の係止部材（鋲など）４を前記３つの孔を貫通するように差し込み係止することにより、ループ化されたベルト状のキャップオープナー部材１が作製される。このループ化されたベルト状のキャップオープナー部材１は、正面から見ると略楕円形状であり、係止部材４で係止された部位に近づくにつれて扁平状となっている。そして、前記ループ化前のベルト状のキャップオープナー部材の一方の端部における２つの孔３ａ及び３ｂの中間部（折り曲げ部）が、このループ化されたキャップオープナー部材１の端部を構成する。この端部と３つの孔３ａ、３ｃ及び３ｂを貫通する係止部材４との間の隙間にリング状金具５を通して装着し、該リング状金具５に紐部材６を結わえることによりキャップオープナーＩが得られる。
【００１２】
キャップオープナー部材１は弾性材からなる。キャップオープナー部材１がキャップ表面に対する密着性に優れる弾性材からなるため、キャップの表面が水滴で濡れていたり、必要以上にキャップが固く締められていても、キャップへの食い付きが良く、握力の低い者でも容易にキャップを開閉できる。弾性材としては、弾性を示す素材であれば特に限定されず、例えば、発泡樹脂、ゴム若しくはエラストマー又はそれらの発泡体などが挙げられる。これらは単独で用いてもよく、２種以上を混合して用いてもよい。なおキャップオープナー部材１の全部が弾性材で構成されていてもよいが、少なくともキャップに接触する部分のみが弾性材で構成されていればよい。
【００１３】
発泡樹脂を構成する樹脂としては、例えば、エチレン−酢酸ビニル共重合体（ＥＶＡ）、ポリエチレンやポリプロピレン等のポリオレフィン、塩化ビニル樹脂、ポリスチレン等のスチレン系樹脂、ＡＢＳ樹脂等の耐衝撃性熱可塑性樹脂、ポリアミドなどの熱可塑性樹脂などが挙げられる。これらの中でも、柔軟性等の点で熱可塑性樹脂が好ましく、特に、コスト、機械的強度などの点で、エチレン−酢酸ビニル共重合体、エチレン−酢酸ビニル共重合体とポリエチレン等のポリオレフィンとの混合物などの少なくともエチレン−酢酸ビニル共重合体を含む樹脂（特に、エチレン−酢酸ビニル共重合体を主成分とする樹脂）が好ましい。
【００１４】
ゴム又はエラストマーとしては、例えば、天然ゴム（ＮＲ）、イソプレンゴム（ＩＲ）、ブタジエンゴム（ＢＲ）、クロロプレンゴム（ＣＲ）、スチレン−ブタジエンゴム（ＳＢＲ）、ニトリルゴム（ＮＢＲ）、ブチルゴム（ＩＩＲ）、エチレン−プロピレンゴム（ＥＰＭ）、エチレン−プロピレン−ジエンゴム（ＥＰＤＭ）、アクリルゴム、エピクロロヒドリンゴム、シリコーンゴム、ウレタンゴム（ＡＵ）、熱可塑性エラストマー（ＴＰＥ）などが挙げられる。前記熱可塑性エラストマーには、例えば、スチレン系熱可塑性エラストマー（ＳＢＳ、ＳＩＳ等のスチレン系ブロックコポリマー）、ポリウレタン系熱可塑性エラストマー、ポリオレフィン系熱可塑性エラストマー、塩ビ系熱可塑性エラストマー、ポリエステル系熱可塑性エラストマー、ポリアミド系熱可塑性エラストマーなどが含まれる。発泡ゴム又はエラストマーとしては、これらのゴム又はエラストマーを発泡したものが挙げられる。発泡ゴム又はエラストマーの代表的な例として、発泡ＳＢＲ、発泡ＮＢＲ、発泡ウレタンゴムなどが挙げられる。
【００１５】
発泡樹脂や発泡ゴム又はエラストマーを製造する際の発泡法としては、特に限定されず、化学発泡法、物理発泡法などの何れの方法も採用できる。気泡は独立気泡、連続気泡の何れであってもよい。発泡倍率は、素材の種類等によっても異なるが、例えば、エチレン−酢酸ビニル共重合体等の発泡樹脂などの場合は、一般に５〜３０倍、好ましくは５〜１５倍、さらに好ましくは６〜１０倍程度である。発泡倍率が５倍未満の場合は柔軟性が低下し、硬くなって使いにくくなる。発泡倍率が３０倍を超えると、強度が低下するとともに、力が入りにくく（頼りなく）なりやすい。
【００１６】
本発明においては、弾性材としては、軽さ、弾力性、柔軟性、キャップに対する密着性等の点から、軟質発泡素材（軟質発泡樹脂、軟質の発泡ゴム又はエラストマー）がより好ましい。また、臭いが少ないことから軟質の発泡樹脂がより好ましく、なかでも、滑りにくく、弾力性や柔軟性に富み、低コストで、機械的強度、耐候性、耐薬品性などにも優れることから、樹脂成分として少なくともエチレン−酢酸ビニル共重合樹脂を含む発泡樹脂（とりわけ、エチレン−酢酸ビニル共重合樹脂を主成分とする発泡樹脂）が特に好ましい。
【００１７】
弾性材の物性としては、例えばエチレン−酢酸ビニル共重合樹脂を主成分とする発泡樹脂等の場合、見かけ密度（ＪＩＳ  Ｋ  ６７６７）は、例えば０．０６〜０．２ｇ／ｃｍ3、好ましくは０．１〜０．１６ｇ／ｃｍ3程度である。引張り強さ（ＪＩＳ  Ｋ  ６７６７）は、例えば１３０Ｎ／ｃｍ2以上（１３０〜２２０Ｎ／ｃｍ2程度）、好ましくは１５０〜２００Ｎ／ｃｍ2程度、伸び（ＪＩＳ  Ｋ  ６７６７）は、例えば３２０〜４３０％、好ましくは３５０〜４００％程度、引裂き強さ（ＪＩＳ  Ｋ  ６７６７）は、例えば５５Ｎ／ｃｍ以上（５５〜１５０Ｎ／ｃｍ程度）、好ましくは７０〜１２０Ｎ／ｃｍ程度であり、２５％圧縮永久歪みは、例えば２．３〜３．０％程度であり、２５％圧縮硬さは、例えば５．７Ｎ／ｃｍ2以上（５．７〜１５Ｎ／ｃｍ2程度）、好ましくは８〜１３Ｎ／ｃｍ2程度である。また、復元率（ＫＤＫ  Ｓ  ０６０７）は、例えば７０％以上（７０〜１００％）、好ましくは８０％以上（８０〜１００％）であり、吸水率（ＪＩＳ  Ｋ  ６７６７  Ｂ法）は、例えば０．０００５ｇ／ｃｍ3以上（０．０００５〜０．１ｇ／ｃｍ3程度）、好ましくは０．００２〜０．０２ｇ／ｃｍ3程度である。
【００１８】
ループ化前のベルト状のキャップオープナー部材１（図２参照）は、例えば、弾性材と必要に応じて添加した添加剤からなる組成物をシート状に成形し、適宜な大きさに切断、スライス等の加工を施した後、所望の形に打ち抜くことにより製造できる。添加剤としては、例えば、発泡剤、架橋剤、着色剤（顔料等）、安定剤、可塑剤、軟化剤、酸化防止剤、紫外線吸収剤、帯電防止剤、強化材、充填剤、加硫剤、加硫助剤などが挙げられる。成形法としては、素材の種類等に応じて適宜選択でき、例えば、射出成形、押出成形、圧縮成形、注型、流延、発泡成形などを使用できる。
【００１９】
文字及び／又は装飾的デザイン２としては、例えば、企業名、電話番号、紋様、キャッチフレーズ、広告の対象となる商品（飲料等）の名称（商品名、商標）などが挙げられる。文字や装飾的デザイン２は印刷や刻印等の慣用の手段により施すことができる。このように、文字や装飾的デザインを付すことにより広告的機能を付与できるため、本発明のキャップオープナーは、景品、ノベルティグッズ、販売促進用物品、記念品等として利用し、企業や商品の宣伝に役立たせることもできる。孔３（３ａ、３ｂ、３ｃ）は、打ち抜き等の慣用の加工法により形成できる。
【００２０】
キャップオープナー部材１の表面には（特に、弾性材が非発泡ゴム又はエラストマーである場合には）、キャップを開ける際に滑らないように、エンボス加工（波状の加工、突起の形成等）などの適宜な加工が施されていてもよい。また、キャップオープナー部材１は材料や色の異なる２以上の層からなる多層構造を有していてもよい。
【００２１】
ループ化前のベルト状のキャップオープナー部材１（図２参照）において、長さは、ループ状にした際に該ループの中にボトル缶等の容器の蓋であるキャップを挿入できる程度の大きさであればよく、例えば１４０〜２５０ｍｍ、好ましくは１６０〜２２０ｍｍ、さらに好ましくは１８０〜２１０ｍｍの範囲である。キャップオープナー部材１の幅（特に、キャップと接触する部位の幅）は、キャップを開ける際の作業性、持ち運び性（コンパクト性）等を考慮して適宜設定できるが、通常５〜４０ｍｍ、好ましくは１０〜３０ｍｍ、さらに好ましくは１３〜２２ｍｍ程度である。キャップオープナー部材１の厚み（特に、キャップと接触する部位の厚み）も、キャップを開ける際の作業性及び持ち運び性（コンパクト性）等を考慮して適宜設定できるが、通常１〜１０ｍｍ、好ましくは２〜８ｍｍ、さらに好ましくは３〜７ｍｍ程度である。孔３の大きさは、鋲などを差し込み係止できる程度であればよく、例えば１〜５ｍｍφ程度の範囲である。３つの孔の形成位置は、キャップオープナー部材１をループ化したときに、リング状金具５を通すことのできる隙間（間隙）ができるような位置であるのが好ましい。例えば、ループ化前の状態（図２参照）において、前記一方の端部の先端近傍の孔３ａの位置は、先端（末端）から、例えば３〜２０ｍｍ、好ましくは５〜１５ｍｍ程度であり、前記先端近傍の孔３ａとそれよりやや中央部にある孔３ｂとの距離（中心間距離）は、例えば２０〜４５ｍｍ、好ましくは２５〜３８ｍｍ程度である。また、前記他方の端部の先端近傍の孔３ｃの位置は、先端（末端）から、例えば３〜１５ｍｍ、好ましくは４〜１０ｍｍ程度である。
【００２２】
なお、上記の例では、ループ化前のベルト状のキャップオープナー部材１の一方の端部を他方の端部の背面側（外側）に来るように重ね合わせて、両端部を鋲（係止部材）により係止することによりループ化されているが、ループ化の方法はこれに限らず、例えば、ループ化前のベルト状のキャップオープナー部材１の一方の端部と他方の端部とを合掌させて（内側同士が接触するように重ね合わせて）、両端部を鋲等の係止部材により係止することによりループ化されていてもよい。この場合には、係止部材による係止部位より外方にさらに別の係止部位を設けることにより、２つの係止部位間の隙間にリング状金具５を装着させることができる。
【００２３】
キャップオープナー部材１はベルト状であればよく、その幅は一定である必要はなく、取扱性を考慮して、部位によってその幅を大きくしたり小さくしたりできる。図１及び図２の例では、キャップオープナーＩのループ内にキャップを挿入し、手でキャップを開ける際の作業性、取扱性を高めるため、手の指が当たる部位の幅をやや大きくしてある。また、キャップオープナー部材１の輪郭に複雑な変化をつけて意匠性に富んだものにすることも可能である。キャップオープナー部材１の色彩も特に限定されず、白、灰、黒、銀、金、赤、橙、黄、緑、青、紫等の何れであってもよく、各種の色彩が意匠性に富むように施されていてもよい。
【００２４】
この例では、キャップオープナー部材１がループ化したベルト状の形状であるため、キャップに簡単にはめ込むことができると共に、指でループを絞ることにより容易にキャップに強く密着させることができる。また、ループを絞る度合いを指で調整できるため、大きさや形の異なった様々なキャップに適用可能である。さらに、コンパクトで嵩張らず、外観に優れるため、アクセサリーとしても利用できる。
【００２５】
本発明では、キャップオープナー部材１を日常携帯物品と連結するための連結部材を有している。このような連結部材を有するため、キャップオープナー部材を連結部材を介して携帯電話等の日常携帯物品に連結できる。このため、本発明のキャップオープナーを取り付けた日常携帯物品を外出時に携帯することにより、必要なときにすぐに取り出して利用に供することができる。上記連結部材としては、上記の例のように紐部材６とリング状金具５とで構成してもよいが、これに限らず、紐部材、リング状金具、鎖材などの１又は２以上を適宜組み合わせて使用できる。また、紐止め部材や収束金具などを適宜用いてもよい。連結方法としては周知の方法を採用できる。日常携帯物品としては、特に限定されず、例えば、携帯電話、キーホルダー、バッグ、小物入れ、ベルト、衣服、帽子などが挙げられる。特に、このキャップオープナーは携帯電話用のストラップとして好適である。
【００２６】
図３は本発明のキャップオープナーの他の例を示す斜視図である。このキャップオープナーIIは、弾性材からなるボード状のキャップオープナー部材１１と、該キャップオープナー部材１１を日常携帯物品と連結するための連結部材であるリング状金具５、紐部材６及び収束部材７で構成されている。キャップオープナー部材１１の表面には文字及び／又は装飾的デザイン２が施されており、長手方向の一方の端部にはリング状金具５を通すための孔３ｄが形成されている。
【００２７】
このボード状のキャップオープナー部材１１は、上から見ると略楕円形状であるが、長手方向（長径方向）の一方の端部は弦をなしていて、全体としてサーフボード様の形状を呈している。長手方向（長径方向）の他方の端部には前記孔３ｄが形成され、連結部材の取り付け部位となっている。なお、キャップオープナー部材１１の形状はこれに限らず、キャップを開けるときの取扱性、作業性を損なわない形状であればよく、例えば、長方形状、ひょうたん形状やこれらに近似した形状であってもよい。また、キャップオープナー部材１１の周縁に複雑な変化をつけて意匠性に富んだものにすることも可能である。キャップオープナー部材１１の色彩も特に限定されず、白、灰、黒、銀、金、赤、橙、黄、緑、青、紫等の何れであってもよく、各種の色彩が意匠性に富むように施されていてもよい。
【００２８】
ボード状のキャップオープナー部材１１は弾性材からなる。弾性材については前記と同様である。ボード状のキャップオープナー部材１１は、例えば、弾性材と必要に応じて添加した添加剤からなる組成物をシート状に成形し、適宜な大きさに切断、スライス等の加工を施した後、所望の形に打ち抜くことにより製造できる。添加剤としては前記と同様のものを使用できる。成形法も前記と同様である。
【００２９】
文字及び／又は装飾的デザイン２は前記と同様である。孔３ｄは打ち抜き等の慣用の加工法により形成できる。キャップオープナー部材１１の表面には（特に、弾性材が非発泡ゴム又はエラストマーである場合には）、キャップを開ける際に滑らないように、エンボス加工（波状の加工、突起の形成等）などの適宜な加工が施されていてもよい。また、キャップオープナー部材１１は材料や色の異なる２以上の層からなる多層構造を有していてもよい。
【００３０】
ボード状のキャップオープナー部材１１の長さ（長手方向の長さ）は、略中央で２つ折りにしながらボトル缶等の容器の蓋であるキャップにあてがい、手の指でキャップの側面の対向する２箇所をつまんで回すことのできる程度の大きさであればよく、例えば５０〜１４０ｍｍ、好ましくは６０〜１３０ｍｍ、さらに好ましくは８０〜１２０ｍｍの範囲である。キャップオープナー部材１１の幅（特に、キャップと接触する部位の幅）は、キャップを開ける際の作業性、持ち運び性（コンパクト性）等を考慮して適宜設定できるが、通常５〜４０ｍｍ、好ましくは１０〜３０ｍｍ、さらに好ましくは１３〜２２ｍｍ程度である。キャップオープナー部材１１の厚み（特に、キャップと接触する部位の厚み）も、キャップを開ける際の作業性及び持ち運び性（コンパクト性）等を考慮して適宜設定できるが、通常１〜１０ｍｍ、好ましくは２〜８ｍｍ、さらに好ましくは３〜７ｍｍ程度である。孔３ｄの大きさは、鋲などを差し込み係止できる程度であればよく、例えば１〜５ｍｍφ程度の範囲である。孔３ｄの位置（孔の中心）は、長手方向の末端から、例えば３〜１５ｍｍ、好ましくは４〜１０ｍｍ程度である。
【００３１】
この例では、キャップオープナー部材１１がボード状の形状であるため、２つ折りにするだけで簡単にキャップに被せることができると共に、キャップオープナー部材１１の上から指でキャップを押さえることにより容易にキャップに強く密着させることができる。また、キャップへの被覆を指でコントロールできるため、大きさや形の異なった様々なキャップに適用可能である。さらに、コンパクトで嵩張らず、外観に優れるため、アクセサリーとしても利用できる。
【００３２】
この例においても、上記と同様、キャップオープナー部材１１を日常携帯物品と連結するための連結部材を有している。このような連結部材を有するため、キャップオープナー部材を連結部材を介して携帯電話等の日常携帯物品に連結できる。このため、本発明のキャップオープナーを取り付けた日常携帯物品を外出時に携帯することにより、必要なときにすぐに取り出して利用に供することができる。上記連結部材としては、上記の例のように紐部材６とリング状金具５とで構成してもよいが、これに限らず、紐部材、リング状金具、鎖材などの１又は２以上を適宜組み合わせて使用できる。また、紐止め部材や収束金具などを適宜用いてもよい。連結方法としては周知の方法を採用できる。日常携帯物品としては、特に限定されず、例えば、携帯電話、キーホルダー、バッグ、小物入れ、ベルト、衣服、帽子などが挙げられる。特に、このキャップオープナーは携帯電話用のストラップとして好適である。
【００３３】
本発明のキャップオープナーの使用方法の一例を図４に示す。この例は、図１及び図２に示したキャップオープナーＩを用いて容器に装着されたキャップを開ける方法を示したものである。ペットボトル、金属製のボトル缶（アルミ缶等）、ドリンク剤入りビンなどの容器２０の蓋として使用されているスクリューキャップ２１をキャップオープナーＩのループ内に挿入し、該スクリューキャップ２１を親指と人差し指でキャップオープナーＩの上から挟むようにして押さえ、力を加えて回転させることによりスクリューキャップ２１を開けることができる。
【００３４】
本発明のキャップオープナーの使用方法の他の例を図５に示す。この例は、図３に示したキャップオープナーIIを用いて容器に装着されたキャップを開ける方法を示したものである。ペットボトル、金属製のボトル缶（アルミ缶等）、ドリンク剤入りビンなどの容器２０の蓋として使用されているスクリューキャップ２１に、キャップオープナーIIを上から被せ、スクリューキャップ２１の側面の対向する２箇所を、親指と人差し指（又は人差し指及び中指）とでキャップオープナーIIの上から挟むようにして押さえ、力を加えて回転させることによりスクリューキャップ２１を開けることができる。なお、キャップオープナーIIをスクリューキャップ２１の側方から被せ、スクリューキャップ２１の対向する２つの側面を、親指と人差し指（又は、親指と人差し指及び中指）とでキャップオープナーIIの上から挟むようにして押さえ、力を加えて回転させることによりスクリューキャップ２１を開けることもできる。
【図面の簡単な説明】
【００３５】
【図１】本発明のキャップオープナーの一例を示す斜視図である。
【図２】図１に示すキャップオープナーにおけるベルト状のキャップオープナー部材の展開図である。
【図３】本発明のキャップオープナーの他の例を示す斜視図である。
【図４】本発明のキャップオープナーの使用方法の一例を示す説明図である。
【図５】本発明のキャップオープナーの使用方法の他の例を示す説明図である。
【符号の説明】
【００３６】
Ｉ    キャップオープナー
II    キャップオープナー
１    ベルト状のキャップオープナー部材
２    文字及び／又は装飾的デザイン
３ａ，３ｂ，３ｃ，３ｄ    孔
４    係止部材
５    リング状金具
６    紐部材
７    収束部材
１１  ボード状のキャップオープナー部材
２０  容器
２１  スクリューキャップ
３０  指
【図１】
2007106422.tif 000003
【図２】
2007106422.tif 000004
【図３】
2007106422.tif 000005
【図４】
2007106422.tif 000006
【図５】
2007106422.tif 000007